(57)【要約】【課題】搬送用ボックスパレットの段積み用脚体の強度アップを図る。【解決手段】脚体１４ａに平坦接地部１９とその外側に位置する段積み用凹溝部１８とが設けられた段積み可能な搬送用ボックスパレットであって、各脚体１４ａは、角筒状の柱部１７と折曲板材２０によって構成され、折曲板材２０は、平坦接地部１９を形成する溝形部２５と段積み用凹溝部１８を形成する門形部２４とを備えると共に、門形部２４の外側垂下壁部２４ａから当該門形部２４の上壁部２４ｂとにわたって連続し且つ上側に突曲するビード状リブ２６が形成され、柱部１７の外側壁部１７ａの下端には、前記ビード状リブ２６が嵌合する切り欠き２７が形成された構成。【選択図】図３
2005047577.tif 000002
【特許請求の範囲】
【請求項１】
矩形の底パネルの周囲に側パネルが立設され、底パネルの下側各角部にはそれぞれ脚体が突設され、各脚体には、平坦接地部とその外側に位置して段積み時に下側パレットの左右両側パネルの上辺の前後両端近傍位置に嵌合する段積み用凹溝部とが設けられた段積み可能な搬送用ボックスパレットであって、前記各脚体は、角筒状の柱部と当該柱部の下端に付設された折曲板材によって構成され、当該折曲板材は、前記平坦接地部を形成する溝形部と、当該溝形部と側壁を共通にし且つ前記段積み用凹溝部を形成する門形部とを備えると共に、この門形部の外側垂下壁部から当該門形部の上壁部とにわたって連続し且つ上側に突曲するビード状リブが形成され、この門形部の上壁部に下端が当接固着される前記柱部の外側壁部の下端には、前記ビード状リブが嵌合する切り欠きが形成されている、段積み可能な搬送用ボックスパレット。
【請求項２】
前記ビード状リブは、折曲板材の巾の半分以上を占める巾広のものが１本だけ形成されている、請求項１に記載の段積み可能な搬送用ボックスパレット。
【請求項３】
前記門形部の上壁部に下端が当接固着される前記柱部の外側壁部は、横断面形状が外側に突曲する円弧形に形成されている、請求項１又は２に記載の段積み可能な搬送用ボックスパレット。
【請求項４】
前記溝形部の底壁部の溝方向両側辺には、平坦接地部の前後方向両端から円弧状又は傾斜状に立ち上がる円弧面又は傾斜面が形成されている、請求項１〜３の何れかに記載の段積み可能な搬送用ボックスパレット。
【請求項５】
前記円弧面又は傾斜面が、前記溝形部の底壁部の溝方向両側辺から上向きに一体に連設された立ち上がり壁部で形成されている、請求項４に記載の段積み可能な搬送用ボックスパレット。
【発明の詳細な説明】
【技術分野】
【０００１】
本発明は、底部各角部に段積み用脚体を備えた段積み可能な搬送用ボックスパレットに関するものである。
【背景技術】
【０００２】
段積み可能な搬送用ボックスパレットとして、矩形の底パネルの周囲に側パネルが立設されると共に、底パネルの下側各角部に、段積み時に下側パレットの側パネルの上辺で支持させることができる脚体を突設したパレットが、例えば特許文献１などによって知られている。即ち、特許文献１にも記載されているように、この種の段積み可能な搬送用ボックスパレットの各脚体は、平坦接地部とその外側に位置して段積み時に下側パレットの左右両側パネルの上辺の前後両端近傍位置に嵌合する段積み用凹溝部とが設けられたものであって、角筒状の柱部と当該柱部の下端に付設された折曲板材によって構成され、当該折曲板材は、前記平坦接地部を形成する溝形部と、当該溝形部と側壁を共通にし且つ前記段積み用凹溝部を形成する門形部とを備えたものである。
【特許文献１】実開昭５５−１６６７３５号公報
【発明の開示】
【発明が解決しようとする課題】
【０００３】
而して、特許文献１に記載された従来の脚体取付構造では、段積み時や床置き時に荷重が集中する各脚体の下端折曲板材の強度を高めるために、当該折曲板材に上側に突曲するビード状の補強用リブを形成することが試みられたが、当該リブを、段積み用凹溝部を形成する門形部の上壁部において、当該門形部の上壁部に下端が当接固着される脚体柱部の外側壁部の位置で内外に分断していた。従って前記門形部の内、脚体柱部の外側壁部から突出する部分自体は、前記ビード状補強用リブによって十分な強度が確保されることになるが、この脚体柱部の外側壁部から突出する部分の当該脚体柱部の外側壁部に対する上下方向の曲げ強度を高めるのには前記ビード状補強用リブは機能していなかった。従って、前記のようにビード状補強用リブを設けていながら折曲板材自体の板厚を薄くすることができなかった。
【課題を解決するための手段】
【０００４】
本発明は上記のような従来の問題点を解消し得る段積み可能な搬送用ボックスパレットを提供することを目的とするものであって、その手段を後述する実施形態の参照符号を付して示すと、矩形の底パネル１の周囲に側パネル２Ａ〜２Ｄが立設され、底パネル１の下側各角部にはそれぞれ脚体１４ａ〜１４ｄが突設され、各脚体１４ａ〜１４ｄには、平坦接地部１９とその外側に位置して段積み時に下側パレットの左右両側パネル２Ｂ，２Ｃの上辺の前後両端近傍位置に嵌合する段積み用凹溝部１８とが設けられた段積み可能な搬送用ボックスパレットであって、前記各脚体１４ａ〜１４ｄは、角筒状の柱部１７と当該柱部１７の下端に付設された折曲板材２０によって構成され、当該折曲板材２０は、前記平坦接地部１９を形成する溝形部２５と、当該溝形部２５と側壁を共通にし且つ前記段積み用凹溝部１８を形成する門形部２４とを備えると共に、この門形部２４の外側垂下壁部２４ａから当該門形部２４の上壁部２４ｂとにわたって連続し且つ上側に突曲するビード状リブ２６が形成され、この門形部２４の上壁部２４ｂに下端が当接固着される前記柱部１７の外側壁部１７ａの下端には、前記ビード状リブ２６が嵌合する切り欠き２７が形成された構成となっている。
【０００５】
上記構成の本発明を実施するについて、前記ビード状リブ２６としては、折曲板材２０の巾方向に複数本を並列形成することもできるが、請求項２に記載のように、折曲板材２０の巾の半分以上を占める巾広のものを１本だけ形成することができる。又、請求項３に記載のように、前記門形部２４の上壁部２４ｂに下端が当接固着される前記柱部１７の外側壁部１７ａは、横断面形状が外側に突曲する円弧形に形成するのが望ましい。
【０００６】
又、請求項４に記載のように、前記溝形部２５の底壁部２５ａの溝方向両側辺には、平坦接地部１９の前後方向両端から円弧状又は傾斜状に立ち上がる円弧面２５ｂ，２５ｃ又は傾斜面を形成することができる。この場合、当該円弧面２５ｂ，２５ｃ又は傾斜面は、前記溝形部２５の底壁部２５ａの溝方向両側辺の面取り加工によって形成することができるが、請求項５に記載のように、前記溝形部２５の底壁部２５ａの溝方向両側辺から上向きに一体に連設された立ち上がり板部２９ａ，２９ｂで形成することも可能である。
【発明の効果】
【０００７】
上記構成の本発明に係る段積み可能なボックスパレットによれば、各段積み用脚体の柱部下端の折曲板材に形成されるビード状リブが、その段積み用凹溝部を形成する門形部の外側垂下壁部から当該門形部の上壁部とにわたって連続しており、この門形部の上壁部に下端が当接固着される前記柱部の外側壁部の下端には、前記ビード状リブが嵌合する切り欠きが形成された構成となっているので、前記柱部の外側壁部から突出する折曲板材の片持ち状突出部分自体の強度が高められるだけでなく、当該折曲板材の片持ち状突出部分の脚体柱部に対する上下方向の曲げ強度が飛躍的に高められる。従って、脚体柱部の下端に平坦接地部と段積み用凹溝部とを形成する折曲板材の板厚を薄くし、コストダウンと軽量化を図ることができるに至ったのである。
【０００８】
尚、請求項２に記載の構成によれば、巾の狭い（細い）ビード状リブを複数本並設する場合よりも、ビード状リブの高さを高くして補強効果を高めることが容易であり、しかも脚体柱部の外側壁部の下端に対するビード状リブ嵌合用切り欠きの形成が容易になる。又、請求項３に記載の構成によれば、脚体柱部の外側壁部から突出する折曲板材の片持ち状突出部分の脚体柱部に対する上下方向の曲げ強度を一層高めることができる。
【０００９】
上記のように本発明の構成によれば、折曲板材の板厚を薄くすることができるのであるが、その反面、平坦接地部を形成する溝形部の溝方向、即ち、前後方向に、床置き状態のパレットが動かされたとき、前記溝形部の溝方向端部の側縁が床側に引っ掛かり易くなるが、この場合、請求項４に記載の構成によれば、その引っ掛かりを防止して安全にパレットを床面上で引きずり又は後押し移動させることができる。特にこの場合、請求項５に記載の構成によれば、折曲板材の一層の強度アップにも役立つ。
【発明を実施するための最良の形態】
【００１０】
以下に本発明の好適実施例を添付図に基づいて説明すると、図１Ａにおいて、１は矩形の底パネルである。２Ａ〜２Ｄは底パネル１の周囲に配置されて底パネル１上に荷収納空間を形成する側パネルであり、この実施形態における側パネルは、正面の上下２段構造のゲートパネル２Ａ、左右両側の互いに平行なサイドパネル２Ｂ，２Ｃ、背面のバックパネル２Ｄから構成されている。
【００１１】
具体的には、ゲートパネル２Ａは、その下辺の内側後方への折曲片の端部において、ヒンジコイル３により底パネル１の前側辺近傍位置に当該ヒンジコイル軸心３ａの周りに揺動自在に連結され、サイドパネル２Ｂ，２Ｃは、その垂直な後側辺がヒンジコイル４，５によりバックパネル２Ｄの左右両側辺に当該ヒンジコイル軸心４ａ，５ａの周りに揺動自在に連結され、バックパネル２Ｄは、その下辺がヒンジコイル６により底パネル１の後側辺に当該ヒンジコイル軸心６ａの周りに揺動自在に連結されている。又、ゲートパネル２Ａは、高さの中間位置にヒンジコイル７が介装され、当該ヒンジコイル軸心７ａの周りに上半部のみを開閉することもできるものであって、その下半部の上辺近傍左右両側と上半部の上辺近傍左右両側とに、サイドパネル２Ｂ，２Ｃと連結するロック手段８ａ，８ｂ及び９ａ，９ｂを備えている。
【００１２】
上記構成のボックスパレットは、全ての側パネル２Ａ〜２Ｄを底パネル１の上に層状に重ねるように折り畳むことができるものであるが、この折り畳み可能な側パネル２Ａ〜２Ｄの構成は本発明の必須要件ではなく、例えば折り畳むことができない側パネルを備えたものや、底パネル１に対して着脱自在な側パネルを備えたものなど、如何なる構成のものであっても良い。
【００１３】
底パネル１は、図１Ｂに示すように、左右両側辺に配置された上側開放の前後方向溝形材１０ａ，１０ｂ、両溝形材１０ａ，１０ｂの両端近傍位置と中間２箇所の長さ方向４箇所を互いに連結する上側開放の左右方向溝形材１１ａ〜１１ｄ、これら溝形材１０ａ〜１１ｄの上に載置固着された矩形のメッシュパネル材１２、及び前後方向溝形材１０ａ，１０ｂとその両端近傍位置に配置されたそれぞれ１本の左右方向溝形材１１ａ，１１ｂとのＴ字状交差部１３ａ〜１３ｄの下側に固着された脚体１４ａ〜１４ｄから構成されている。矩形のメッシュパネル材１２は、適当間隔おきに互いに平行に配列された前後方向線材１５と適当間隔おきに互いに平行に配列された左右方向線材１６とをその交差部で互いに固着したものである。
【００１４】
尚、メッシュパネル材１２の前端から３番目の左右方向線材１６ａがゲートパネル２Ａを連結するヒンジコイル３の支承軸となり、メッシュパネル材１２の後端の左右方向線材１６ｂがバックパネル２Ｄを連結するヒンジコイル６の支承軸となっている。勿論、底パネル１の構造は、上記実施形態のものに限定されない。例えば、底パネル１の溝形材１０ａ〜１１ｄの上に載置固着されるパネル材は、上記構造のメッシュパネル材１２に限定されず、エキスパンドメタルや板製のパネル材であっても良いし、底パネル１のパネル材（メッシュパネル材１２）を支持するフレーム構造も、上記実施形態のものに限定されない。
【００１５】
図２〜図４に基づいて脚体１４ａ〜１４ｄの構造を詳細に説明すると、各脚体１４ａ〜１４ｄは、板材を角筒状に曲げ加工して成る柱部１７と、この柱部１７の下端に溶接により固着されて段積み用凹溝部１８と当該凹溝部１８の内側に位置する平坦接地部１９とを形成する折曲板材２０とから構成され、前記柱部１７の上端に、前記底パネル１におけるＴ字状交差部１３ａ〜１３ｄが嵌合する凹部２１が形成されている。この凹部２１は、柱部１７の外側壁部１７ａの上端両角部間にわたって形成された前後方向部材嵌合用切り欠き２２と、柱部１７の内側壁部１７ｂ，１７ｃの上端に形成された左右方向部材嵌合用切り欠き２３ａ，２３ｂとで構成されている。
【００１６】
折曲板材２０は、外側の門形部２４で段積み用凹溝部１８を形成すると共に、当該門形部２４と側壁を共通する内側の溝形部２５で平坦接地部１９を形成するものであり、門形部２４の外側垂下壁部２４ａから門形部２４の上壁部２４ｂにわたって連続すると共に上側に突出するビード状リブ２６が形成されている。このビード状リブ２６は、折曲板材２０の巾の半分以上の巾を有する巾広のものが１本だけ、折曲板材２０の巾の中心位置に一体成形されている。一方、柱部１７の外側壁部１７ａの下端には、前記ビード状リブ２６が嵌合する切り欠き２７が形成されている。又、柱部１７の下端には、溝形部２５内に嵌合する突出部１７ｄが設けられている。柱部１７の内側壁部１７ｂ，１７ｃは、左右方向溝形材１１ａ，１１ｂの巾よりは狭い隙間を隔てて互いに離間させているが、両内側壁部１７ｂ，１７ｃを、前記切り欠き２３ａ，２３ｂの下側では互いに当接させ、或いは互いに当接させた状態で溶接などにより一体化することもできる。
【００１７】
而して、図３及び図４に示すように各脚体１４ａ〜１４ｄの柱部１７の前後方向部材嵌合用切り欠き２２に底パネル１におけるＴ字状交差部１３ａ〜１３ｄを構成する前後方向溝形材１０ａ，１０ｂを嵌合させると共に、当該柱部１７の左右方向部材嵌合用切り欠き２３ａ，２３ｂに前記Ｔ字状交差部１３ａ〜１３ｄを構成する左右方向溝形材１１ａ，１１ｂを嵌合させ、各切り欠き２２，２３ａ，２３ｂの周縁とこれに接する前後方向溝形材１０ａ，１０ｂ及び左右方向溝形材１１ａ，１１ｂの外側面とを溶接により固着して、各脚体１４ａ〜１４ｄを底パネル１における前記Ｔ字状交差部１３ａ〜１３ｄの下側に取り付けている。
【００１８】
上記構成のボックスパレットは、側パネル２Ａ〜２Ｄが折り畳み可能なものであるときは、図１Ａに示すように側パネル２Ａ〜２Ｄを組み立てた状態において、底パネル１上で側パネル２Ａ〜２Ｄに囲まれた空間内に収納された荷の搬送や保管に利用することができるものであるが、保管時などにおいては、上段のボックスパレットの各脚体１４ａ〜１４ｄの段積み用凹溝部１８を下段のボックスパレットの左右両サイドパネル２Ｂ，２Ｃの上辺の前後両端付近に嵌合させることで、上下に段積みすることができる。又、ボックスパレットは、その各脚体１４ａ〜１４ｄの平坦接地部１９を着床させることにより、床面などに安定的に載置することができる。
【００１９】
尚、各脚体１４ａ〜１４ｄの構造は、図２〜図４に示す上記構造に限定されない。例えば、柱部１７の内側壁部１７ｂ，１７ｃには左右方向部材嵌合用切り欠き２３ａ，２３ｂを設けないで、当該柱部１７の内側壁部１７ｂ，１７ｃ間を左右方向溝形材１１ａ，１１ｂが嵌合する凹部２１とすることもできるが、この場合、図５及び図６に示すように、前記柱部１７の内側壁部１７ｂ，１７ｃには、前記左右方向溝形材１１ａ，１１ｂの両側面に当接固着される平行折曲部２８ａ，２８ｂを折曲連設することができる。更にこの場合、内側壁部１７ｂ，１７ｃは、前記平行折曲部２８ａ，２８ｂ側ほど当該柱部１７の外側壁部１７ａから離れるように傾斜させることが望ましい。
【００２０】
尚、平行折曲部２８ａ，２８ｂは、左右方向溝形材１１ａ，１１ｂの両側面に当接し得る領域にのみ形成すれば良いが、図示例では、折曲板材２０の溝形部２５に内嵌する突出部１７ｄの上側全領域に平行折曲部２８ａ，２８ｂを形成し、内側壁部１７ｂ，１７ｃは、その上端部領域（左右方向溝形材１１ａ，１１ｂの両側面に当接する平行折曲部２８ａ，２８ｂの上端部領域に隣接する領域）のみ上記のように傾斜させ、それより下の領域では、下側ほど傾斜が徐々に緩くなって最終的には傾斜がなくなるように形成している。更に、平行折曲部２８ａ，２８ｂが脚体１４ａ〜１４ｄの後側面から実質的に後側へ突出しないように、内側壁部１７ｂ，１７ｃを上方ほど柱部１７の内側へ入り込むように傾斜させて、平行折曲部２８ａ，２８ｂの巾を上方ほど広くなるように形成し、以て、左右方向溝形材１１ａ，１１ｂの両側面に当接する箇所では、平行折曲部２８ａ，２８ｂが必要な巾を確保するように構成している。
【００２１】
又、図７に示すように、折曲板材２０の平坦接地部１９を形成する溝形部２５の底壁部２５ａの溝方向両側辺には、平坦接地部１９の前後方向両端から円弧状（又は傾斜状）に立ち上がる円弧面（又は傾斜面）２５ｂ，２５ｃを形成することができる。この場合、当該円弧面（又は傾斜面）２５ｂ，２５ｃは、図示のように前記溝形部２５の底壁部２５ａの溝方向両側辺の面取り加工によって形成することができるが、図８に示すように、前記溝形部２５の底壁部２５ａの溝方向両側辺から上向きに一体に連設された立ち上がり板部２９ａ，２９ｂで形成することも可能である。この場合、立ち上がり板部２９ａ，２９ｂを溝形部２５の左右両側壁から切り離した状態で形成するのではなく、立ち上がり板部２９ａ，２９ｂを溝形部２５の左右両側壁と連続するように、プレスによる絞り（押し出し）加工により一体成形することにより、平坦接地部１９を形成する溝形部２５全体の大幅な強度アップを図ることもできる。
【００２２】
更に、図９に示すように、折曲板材２０から柱部１７の内側壁部を構成する垂直立ち上がり板部３０を連設し、柱部１７を、折曲板材２０の垂直立ち上がり板部３０と、板材をコ字形に曲げ加工して構成した外側壁部１７ａ及び左右両側壁部１７ｅ，１７ｆとで構成することもできる。この場合、底パネル１のＴ字状交差部１３ａ〜１３ｄを構成する左右方向溝形材１１ａ，１１ｂが嵌合する左右方向部材嵌合用切り欠き２３が折曲板材２０の垂直立ち上がり板部３０の上端中央部に形成される。又、板材をコ字形に曲げ加工して構成した左右両側壁部１７ｅ，１７ｆの後側辺３１ａ，３１ｂを内側に傾斜させて、折曲板材２０の垂直立ち上がり板部３０との間に溶接用入り隅部を形成している。
【００２３】
又、図９に示す脚体１４ａ〜１４ｄにおいて示すように、柱部１７の外側壁部１７ａは、その横断面形状が外側に突出する円弧形になるように突曲させることができる。尚、上記実施形態では、脚体１４ａ〜１４ｄを底パネル１の前後方向溝形材１０ａ，１０ｂとその両端近傍位置に配置されたそれぞれ１本の左右方向溝形材１１ａ，１１ｂとのＴ字状交差部１３ａ〜１３ｄの下側に固着したが、従来周知のように、底パネル１の前後両側辺近傍位置に配設されたそれぞれ前後２本の左右方向部材の左右両端部間に柱部１７の上端を挟むようにして、各脚体１４ａ〜１４ｄを取り付けることもできる。即ち、底パネル１に対する各脚体１４ａ〜１４ｄの取り付け構造は、特に限定されるものではない。
【図面の簡単な説明】
【００２４】
【図１】Ａ図は全体の斜視図であり、Ｂ図は底パネルの平面図である。
【図２】Ａ図は底パネルの部分拡大平面図であり、Ｂ図は１つの脚体の平面図である。
【図３】Ａ図は脚体取り付け前の状態を示す要部の縦断正面図であり、Ｂ図は脚体取り付け後の状態を示す要部の正面図である。
【図４】Ａ図は底パネルの部分拡大右側面図であり、Ｂ図は同縦断左側面図である。
【図５】脚体構造が異なる実施形態を示す要部の正面図である。
【図６】Ａ図は図５に示す脚体の柱部のみを示す平面図、Ｂ図は同左側面図、Ｃ図は同正面図、Ｄ図は同右側面図である。
【図７】Ａ図は脚体の折曲板材のみを示す正面図、Ｂ図は同右側面図、Ｃ図は同Ａ図のＸ−Ｘ線断面図である。
【図８】脚体の折曲板材の変形例を示す要部の斜視図である。
【図９】Ａ図は脚体の更に別の変形例を示す正面図であり、Ｂ図は同平面図である。
【符号の説明】
【００２５】
１    底パネル
２Ａ〜２Ｄ    側パネル
１０ａ，１０ｂ    前後方向溝形材（前後方向部材）
１１ａ〜１１ｄ    左右方向溝形材（左右方向部材）
１２    メッシュパネル材
１３ａ〜１３ｄ    Ｔ字状交差部
１４ａ〜１４ｄ    脚体
１７    脚体の柱部
１７ａ柱部の外側壁部
１７ｂ，１７ｃ    柱部の内側壁部
１７ｄ    柱部の突出部
１７ｅ，１７ｆ    柱部の左右両側壁部
１８    段積み用凹溝部
１９    平坦接地部
２０    脚体の折曲板材
２４    折曲板材の門形部
２５    折曲板材の溝形部
２５ｂ，２５ｃ    円弧面（又は傾斜面）
２６    ビード状リブ
２７    切り欠き
２８ａ，２８ｂ    柱部の平行折曲部
２９ａ，２９ｂ、３０    折曲板材の立ち上がり板部
【図１】
2005047577.tif 000003
【図２】
2005047577.tif 000004
【図３】
2005047577.tif 000005
【図４】
2005047577.tif 000006
【図５】
2005047577.tif 000007
【図６】
2005047577.tif 000008
【図７】
2005047577.tif 000009
【図８】
2005047577.tif 000010
【図９】
2005047577.tif 000011